(57)【要約】【課題】樹脂製の遊技板に取り付けられた遊技釘を折れ難くすることが出来る、新規な構造のパチンコ機を提供することを、目的とする。【解決手段】遊技釘４２における遊技板２６に挿入される挿入部分に対して、遊技釘４２の遊技板２６からの抜けを防止する抜止加工部５８と、抜止加工部５８に対して遊技板２６の表面側及び裏面側のうちの少なくとも一方の側に連続して延びるストレート部５９とを形成し、遊技釘４２が遊技板２６に取り付けられた状態で、遊技板２６に形成された凹部５０内にストレート部５９が位置せしめられるようにした。【選択図】図５
2007105306.tif 000002
【特許請求の範囲】
【請求項１】
樹脂製の遊技板の表面に多数の遊技釘が取り付けられた遊技盤を備えるパチンコ機において、
前記遊技釘には、前記遊技板に挿入される挿入部分において、該遊技釘の該遊技板からの抜けを防止する抜止加工部と、該抜止加工部に対して該遊技板の表面側及び裏面側のうちの少なくとも一方の側に連続して延びるストレート部とが形成されている一方、該遊技板には、該ストレート部の周囲に隙間を形成する凹部が、該ストレート部に対応するように、該遊技板の表面及び裏面のうちの少なくとも一方に設けられており、該遊技釘が該遊技板に取り付けられた状態で、該ストレート部が該凹部内に位置せしめられていることを特徴とするパチンコ機。
【請求項２】
前記凹部が、前記遊技板の前記表面及び前記裏面のうち、該裏面にのみ開口していると共に、前記ストレート部が、前記抜止加工部に対して該遊技板の裏面側に形成されている請求項１に記載のパチンコ機。
【請求項３】
前記凹部の内周面が、前記遊技釘の側に凸となる湾曲面とされている請求項１又は２に記載のパチンコ機。
【発明の詳細な説明】
【技術分野】
【０００１】
本発明は、樹脂製の遊技板の表面に多数の遊技釘が取り付けられた遊技盤を備えるパチンコ機に関するものである。
【背景技術】
【０００２】
近年、パチンコ機においては、始動入賞口への遊技球の入賞に基づいて行われる抽選の結果等が表示される液晶表示器の表示画面が大型化してきており、液晶表示器の表示画面が遊技領域に占める割合が大きくなってきている。その結果、遊技領域において遊技領域に設けられた遊技釘に衝突しながら遊技球が流下する領域が少なくなってきている。
【０００３】
そこで、特許文献１に記載されているように、透明な樹脂製の遊技板を採用し、その裏側に液晶表示器を設けて、透明な遊技板を通して液晶表示器の表示画面が遊技者に視認されるようにしたパチンコ機が提案されている。
【０００４】
ところで、上述の如き透明な樹脂製の遊技板に取り付けられた遊技釘は、遊技領域を流下する遊技球が衝突した際に、或いは、傾斜方向等を所定の道具を用いて調節した際に、遊技板の表面付近で折れやすいことが確認されている。これは、従来のラワン合板によって形成された遊技板に比して、透明な樹脂製の遊技板が硬く、遊技釘に外力が作用した際に、遊技板において遊技釘が取り付けられた部分の周囲が変形し難いことに起因すると考えられる。
【０００５】
なお、特許文献２に記載されているように、遊技板を二枚の板材によって構成すると共に、それら二枚の板材の少なくとも一方に形成された凹所に対して、遊技釘の脚部が埋設された釘ベースが嵌め入れられるようにし、更に、釘ベースの弾性変形に基づいて遊技釘に作用する外力を吸収して、遊技釘の耐久性を向上させたパチンコ機が提案されている。
【０００６】
しかしながら、特許文献２に記載されたパチンコ機においては、構造が複雑になってしまうという問題がある。また、釘調整が極めて困難になってしまうという問題もある。
【０００７】
【特許文献１】特開平１１−７６５１７号公報
【特許文献２】特開２００５−１３７２０号公報
【発明の開示】
【発明が解決しようとする課題】
【０００８】
ここにおいて、本発明は、上述の如き事情を背景として為されたものであって、その解決課題とするところは、樹脂製の遊技板に取り付けられた遊技釘を折れ難くすることが出来る、新規な構造のパチンコ機を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いはそれらの記載から当業者が把握することが出来る発明思想に基づいて認識されるものであることが理解されるべきである。
【００１０】
本発明の第一の態様は、樹脂製の遊技板の表面に多数の遊技釘が取り付けられた遊技盤を備えるパチンコ機において、前記遊技釘には、前記遊技板に挿入される挿入部分において、該遊技釘の該遊技板からの抜けを防止する抜止加工部と、該抜止加工部に対して該遊技板の表面側及び裏面側のうちの少なくとも一方の側に連続して延びるストレート部とが形成されている一方、該遊技板には、該ストレート部の周囲に隙間を形成する凹部が、該ストレート部に対応するように、該遊技板の表面及び裏面のうちの少なくとも一方に設けられており、該遊技釘が該遊技板に打ち込まれた状態で、該ストレート部が該凹部内に位置せしめられていることを、特徴とする。
【００１１】
このような本態様に従う構造とされたパチンコ機においては、遊技釘が遊技板に取り付けられた状態で、遊技釘の挿入部分に形成されたストレート部が、遊技板に形成された凹部内に位置せしめられていることから、例えば、遊技球が衝突することにより、或いは、釘調整をすることにより、遊技釘に対して外力が及ぼされた際に、遊技釘が抜止加工部を中心に傾動しやすいようにすることが可能となる。
【００１２】
これにより、外力が及ぼされた際の衝撃を吸収することが可能となる。その結果、樹脂製の遊技板に取り付けられた遊技釘を折れ難くすることが可能となる。
【００１３】
なお、本態様において、遊技板は、必ずしも樹脂材料のみによって形成されている必要はなく、例えば、樹脂材料とゴム材料を混ぜ合わせたものによって形成されていても良い。
【００１４】
本発明の第二の態様は、前記第一の態様に係るパチンコ機において、前記凹部が、前記遊技板の前記表面及び前記裏面のうち、該裏面にのみ開口していると共に、前記ストレート部が、前記抜止加工部に対して該遊技板の裏面側に形成されていることを、特徴とする。このような本態様に従う構造とされたパチンコ機においては、遊技板の表面側に凹部が開口していないことから、遊技板表面の意匠を良くすることが可能となる。
【００１５】
本発明の第三の態様は、前記第一又は第二の態様に係るパチンコ機において、前記凹部の内周面が、前記遊技釘の側に凸となる湾曲面とされていることを、特徴とする。このような本態様に従う構造とされたパチンコ機においては、遊技釘に外力が及ぼされた際、遊技釘を湾曲面に沿って変形せしめることが可能となる。これにより、遊技釘に外力が及ぼされた際に、遊技釘において抜止加工部が形成されている部分とそうでない部分との境界に発生する応力を低減することが可能となる。その結果、遊技釘を一層折れ難くすることが可能となる。
【発明の効果】
【００１６】
上述の説明から明らかなように、本発明に従う構造とされたパチンコ機においては、遊技釘が遊技板に取り付けられた状態で、遊技釘の挿入部分に形成されたストレート部の少なくとも一部が遊技板に形成された凹部内に位置せしめられていることから、遊技釘に外力が及ぼされた際に、遊技釘が抜止加工部を中心に傾動し易くなる。これにより、外力が及ぼされた際の衝撃を吸収することが可能となる。その結果、樹脂製の遊技板に取り付けられた遊技釘を折れ難くすることが可能となる。
【発明を実施するための最良の形態】
【００１７】
以下、本発明を更に具体的に明らかにするために、本発明の実施形態について、図面を参照しつつ、詳細に説明する。
【００１８】
先ず、図１には、本発明の第一の実施形態としてのパチンコ機１０が示されている。パチンコ機１０において機体の外郭をなす外枠１２の開口前面側には、縦長方形の中枠１４が開閉及び着脱自在に組み付けられている。この中枠１４には、後述する遊技領域３０を形成する遊技盤１６が着脱自在に組み付けられており、かかる遊技領域３０は、中枠１４に対して開閉可能に組み付けられたガラス枠１８によって保持されているガラス板を通して遊技者に視認されるようになっている。そして、中枠１４に設けられた操作ハンドル２０に対して回動可能に装着された操作レバー２２を遊技者が回動操作することにより、中枠１４に設けられた上皿２４に貯留されている遊技球が、図示しない球送り機構を介して発射装置（図示せず）に送られた後、遊技領域３０に向けて発射されるようになっている。なお、図１では、後述する遊技釘４２の図示は省略してある。
【００１９】
続いて、中枠１４に組み付けられている遊技盤１６について説明する。この遊技盤１６は、図２に示されているように、遊技板２６を備えている。この遊技板２６は、厚肉の矩形平板形状を呈しており、樹脂材料によって形成されている。そこにおいて、本実施形態では、遊技板２６は透明とされており、例えば、ポリメタクリル酸メチル（ＰＭＭＡ）やポリカーボネート（ＰＣ），アクリル樹脂等の樹脂材料や、アクリル樹脂にゴムを混ぜたもの等によって形成されている。なお、アクリル樹脂にゴム材料を混ぜる場合、ゴム材料は１５〜４５％の割合で混ぜることが望ましい。蓋し、ゴム材料が１５％よりも少ないと遊技板２６の柔軟性を向上させて、後述する遊技釘４２の耐久性を向上させることが難しく、ゴム材料が４５％よりも多いと遊技板２６の透明度を確保することが困難になるからである。
【００２０】
このような遊技板２６の表面側にレールセット２８が設けられており、かかるレールセット２８によって略円形の遊技領域３０が区画形成されるようになっている。そして、このように形成された遊技領域３０の適当な位置において、始動入賞装置３２や特別可動入賞装置３４等の遊技球が入賞可能な入賞装置や遊技球が通過可能なゲート３６，装飾用のサイド飾り３８等の各種構造物が設けられている。
【００２１】
そこにおいて、本実施形態では、始動入賞装置３２への遊技球の入賞をきっかけとして行われる大当たり抽選の結果を表示する抽選結果表示装置としての液晶表示器４０が、遊技板２６の裏側に設けられている。これにより、液晶表示器４０の表示画面に表示された大当たり抽選の結果が、透明な遊技板２６を通して遊技者に視認されるようになっている。
【００２２】
また、遊技板２６の表面には、上述の如き各種構造物が設けられた箇所以外において、多数本の遊技釘４２が取り付けられている。そして、遊技領域３０に向けて発射された遊技球は、遊技釘４２に衝突しながら、遊技領域３０を流下するようになっている。
【００２３】
なお、本実施形態では、遊技板２６において液晶表示器４０の表示画面の前方に位置する部分にも遊技釘４２が取り付けられている。これにより、遊技球が、液晶表示器４０の表示画面の前方を、遊技釘４２に衝突しながら流下するようになっている。
【００２４】
そこにおいて、遊技釘４２の遊技板２６への取り付けは、以下の如くして、行われるようになっている。先ず、透明な樹脂製の遊技板２６を用意する。透明な樹脂製の遊技板２６は、例えば、圧縮成形等によって有利に形成される。因みに、本実施形態では、遊技板２６の厚さは１０ｍｍとされている。
【００２５】
続いて、遊技板２６において遊技釘４２が取り付けられる位置にガイド穴としての下穴４４を形成する。この下穴４４は、図３に示されているように、遊技板２６を貫通するように形成されている。そこにおいて、本実施形態の下穴４４は、軸方向中間部分において軸直角方向に広がる円環状の段差面４６を挟んで小径部４８と大径部５０が同一中心軸上に形成位置せしめられた構造とされている。また、本実施形態では、大径部５０が遊技板２６の裏面側に開口位置せしめられている。
【００２６】
なお、遊技板２６への下穴４４の形成方法としては、金属や木材に段付き穴を形成する場合と同様な方法が採用される。具体的には、例えば、小径部分と大径部分を有する段付きドリルを用いて、段付き穴（大径部５０と小径部４８を有する下穴４４）を一回の穴あけ作業で形成する方法等が採用される。勿論、先に小径部４８を形成しておき、その後、大径部５０を形成することにより、段付き穴（大径部５０と小径部４８を有する下穴４４）を二回の穴あけ作業で形成することも可能である。
【００２７】
また、下穴４４は、遊技板２６の板厚方向に延びるように形成されていても良いが、遊技板２６の板厚方向に対して所定方向に所定角度傾斜するように形成されていても良い。因みに、図３では、遊技板２６の板厚方向に延びる下穴４４が示されている。
【００２８】
更にまた、下穴４４の内径寸法は、後述する遊技釘４２に設けられたローレット加工部５８による抜止作用、即ち、遊技釘４２の遊技板２６からの抜けを防止する作用が有効に発揮され得る大きさであれば、特に限定されることはない。因みに、本実施形態では、下穴４４における小径部４８の内径寸法：Ｒ１は１．８５ｍｍとされている。
【００２９】
そして、上述の如き下穴４４に対して、遊技釘４２が挿入されるようになっている。この遊技釘４２は、図４に示されているように、頭部５２の下側において略一定の円形断面でストレートに延びる脚部５４が形成された形状とされており、銅（銅合金（例えば真鍮）も含む）等の金属材によって形成されている。そこにおいて、脚部５４の先端には、先端側に行くに従って次第に小径となるテーパ面５６が形成されている。なお、本実施形態では、脚部５４の先端は平坦面とされている。
【００３０】
また、遊技釘４２の脚部５４には、ローレット加工が施された抜止加工部としてのローレット加工部５８が設けられている。そこにおいて、本実施形態のローレット加工部５８は、螺旋状にローレット加工が施されたことによって形成されたものである。なお、ローレット加工部５８における螺旋の巻数や螺旋の傾斜角度等は、引抜強度やローレット加工部５８において必要とされる強度等に応じて、適宜設定変更されるものである。
【００３１】
また、上述の如き螺旋状のローレット加工が施されることにより、ローレット加工部５８の外径寸法：Ｒ２は、脚部５４においてローレット加工が施されていない部分の外径寸法：Ｒ３よりも大きくされている。因みに、本実施形態では、脚部５４においてローレット加工が施されていない部分の外径寸法：Ｒ３は、１．８５ｍｍとされている一方、ローレット加工部５８の外径寸法：Ｒ２は、２ｍｍとされている。即ち、本実施形態では、遊技釘４２の脚部５４においてローレット加工が施されていない部分の外径寸法：Ｒ３が、下穴４４における小径部４８の内径寸法：Ｒ１と同じとされているのである。なお、このような小径部４８より最大外径が大きいローレット加工部５８は、全長に亘って一定外径寸法の遊技釘に対して長手方向で部分的にローレット加工を施すことによって形成することが出来る。
【００３２】
また、本実施形態では、ローレット加工部５８は、脚部５４の先端に形成されたテーパ面５６の大径端から所定距離だけ離れた位置から頭部５２側に向って所定長さに亘って形成されている。因みに、本実施形態では、ローレット加工部５８は、テーパ面５６の大径端から４．３ｍｍ離れた位置から頭部５２側に向って４．５ｍｍの長さに亘って形成されている。
【００３３】
このような構造とされた遊技釘４２は、下穴４４に対して小径部４８側から差し込まれて、遊技板２６に取り付けられるようになっている。そして、本実施形態では、図５に示されているように、ローレット加工部５８の全体が遊技板２６（下穴４４）内に位置せしめられて、且つ、ローレット加工部５８の頭部５２側の端が、小径部４８の表面側開口付近に位置せしめられるまで、遊技釘４２が遊技板２６に打ち込まれるようになっている。特に本実施形態では、ローレット加工部５８の軸方向長さが、下穴４４における小径部４８の軸方向長さよりも僅かに小さくされている。これにより、ローレット加工部５８の両端部が、小径部４８内でその軸方向両側の開口近くに位置せしめられている。
【００３４】
また、上述の如く、遊技板２６に遊技釘４２が取り付けられた状態で、遊技釘４２においてローレット加工部５８よりも先端側に位置してローレット加工が施されていない部分（以下、ストレート部５９と称する）の大部分は、図５に示されているように、下穴４４における大径部５０内に位置せしめられて、遊技板２６の裏面２５側に向って連続して延びている。これにより、遊技板２６に差し込まれた状態で、ストレート部５９と大径部５０の内周面との間には、全周に亘って円環状の隙間が形成されている。なお、本実施形態では、上述の如く、遊技釘４２が遊技板２６に取り付けられた状態下において、遊技釘４２の先端は、遊技板２６の裏面から突出しておらず、大径部５０内に位置せしめられている。
【００３５】
上述の説明から明らかなように、本実施形態では、下穴４４における大径部５０によって凹部が構成されている。また、本実施形態では、遊技釘４２の脚部５４に設けられたローレット加工部５８と該ローレット加工部５８よりも先端の部分によって挿入部分が構成されている。そして、本実施形態では、ローレット加工部５８が挿入部分の軸方向一方の側（遊技板２６の表面側）に形成されている。即ち、本実施形態では、ストレート部５９がローレット加工部５８に対して遊技板２６の裏面側に形成されているのである。これにより、凹部（大径部５０）の形成位置とストレート部５９の形成位置が対応している。
【００３６】
このような構造とされたパチンコ機１０では、樹脂製の遊技板２６に取り付けられた遊技釘４２に対して、遊技領域３０を流下する遊技球が当たったり、或いは釘調整される場合などにも、かかる遊技釘４２が折れ難い。なお、遊技釘４２の折れ難い理由としては、例えば以下のようなことが考えられる。
【００３７】
先ず、遊技板２６で遊技釘４２に及ぼされる拘束力が軽減されることである。即ち、遊技釘４２は、遊技板２６の下穴４４への挿入部分のうち、下穴４４の小径部４８だけで実質的に拘束されているに過ぎない。それ故、遊技球の打ち当たりや釘調整等に際して遊技釘４２に軸直角方向の外力が及ぼされた際にも、従来構造の挿入部分が全長に亘って下穴４４に拘束固定されている構造に比して、軸直角方向で遊技釘４２に及ぼされる拘束力が軽減されて、遊技釘４２における局部的な応力集中が緩和されると考えられる。特に、遊技釘４２において、遊技板２６による拘束力が及ぼされる部分の軸方向長さが小さくされていることから、遊技釘４２に対して軸直角方向に及ぼされる外力に対する反力としてのモーメントが小さく抑えられて、遊技釘４２における曲げ方向の応力発生が軽減されると考えられる。
【００３８】
しかも、下穴４４には、小径部４８と大径部５０の境界部分に段差が形成されており、これら大径部５０と段差によって、下穴４４の自由表面、即ち遊技釘４２が密着されずに大気中に露出した表面の面積が大きくされている。その結果、合板等に比して可撓性が小さい樹脂材からなる遊技板２６であっても、自由表面の面積を大きくしたことに伴い変形の許容性が向上されていると考えられる。
【００３９】
このような理由により、遊技板２６に取り付けられた遊技釘４２において、遊技領域３０を流下する遊技球が当たったり、或いは、釘調整をすることによって、遊技釘４２に外力が及ぼされた際にも、遊技釘４２がローレット加工部５８を中心に傾動し易くなっていると考えられる。これにより、遊技釘４２に対して外力が及ぼされた際の衝撃を吸収することが可能となる。その結果、樹脂製の遊技板２６に取り付けられた遊技釘４２が折れ難くなっているものと考えられる。
【００４０】
また、本実施形態では、遊技板２６の表面２７に大径部５０が開口していないことから、遊技板２６の表面の意匠を良好なものにすることが可能となる。
【００４１】
更に、本実施形態では、遊技釘４２においてローレット加工部５８よりも先端側にストレート部５９が形成されていることから、ストレート部５９が下穴４４の小径部４８に差し込まれた後でローレット加工部５８が小径部４８に差し込まれることとなる。これにより、遊技釘４２を遊技板２６に取り付ける作業において、小径部４８の内径寸法よりも最大外径寸法が大きくされたローレット加工部５８が小径部４８に差し込まれる際の抵抗力が作用する時間を短くすることが可能となる。その結果、遊技釘４２の遊技板２６への打ち込みが容易となる。
【００４２】
また、本実施形態では、遊技板２６の裏面２５から遊技釘４２が突出していないことから、遊技板２６の裏面をフラットにすることが可能となり、それによって、例えば、製造時に遊技盤１６を取り扱い易くすることが可能となる。
【００４３】
続いて、本発明の第二の実施形態について、図６に基づいて、説明する。なお、以下の説明において、第一の実施形態と同様な構造とされた部材及び部位については、図中に、第一の実施形態と同一の符号を付すことにより、それらの詳細な説明を省略する。
【００４４】
すなわち、本実施形態のパチンコ機は、第一の実施形態のパチンコ機（１０）に比して、下穴６０の形状が異なっていると共に、遊技釘６２の形状が異なっている。
【００４５】
より詳細には、本実施形態の下穴６０は、略一定の円形断面でストレートに延びるストレート部６４が遊技板２６の裏面２５から板厚方向中間部分まで形成されていると共に、かかるストレート部６４の一端（遊技板２６の表側の端）から遊技板２６の表側に行くに従って次第に拡径する拡径部６６が遊技板２６の表面２７まで形成された構造とされている。特に、本実施形態では、拡径部６６の内周面は湾曲面６８とされている。
【００４６】
そこにおいて、本実施形態では、ストレート部６４の内径寸法が１．８５ｍｍとされており、遊技釘６２の脚部５４においてローレット加工が施されていない部分の外径寸法と同じとされている。また、本実施形態では、ストレート部６４の内周面と拡径部６６の内周面は、それらの境界において段差や折れ線状の角部がない状態で滑らかに接続されている。そこにおいて、湾曲面６８は、下穴６０の内面及び遊技板２６の表面に滑らかに連続する形状（例えば、同一曲率でかつ横断面形状が四半円弧）が、後述する釘折れ防止の観点から望ましい。また、湾曲面６８の曲率は、一定であっても良いし、変化していても良い。
【００４７】
なお、このような下穴６０は、例えば、下穴６０全体の内周面に対応した外周面を有する錐を用いること等によって、有利に形成される。
【００４８】
また、本実施形態の遊技釘６２は、第一の実施形態の遊技釘（４２）に比して、ローレット加工部５８がテーパ面５６の大径端付近から頭部５２側に向けて所定の長さで設けられている。そこにおいて、本実施形態のローレット加工部５８は、第一の実施形態と同じ軸方向長さで形成されている。これにより、本実施形態では、頭部５２からローレット加工部５８の頭部５２側の端までストレートに延びている部分の長さが、第一の実施形態よりも長くなっている。
【００４９】
このような構造とされた遊技釘６２は、下穴６０に対して拡径部６６側から差し込まれることで、遊技板２６に取り付けられるようになっている。そこにおいて、本実施形態では、このように遊技釘６２が遊技板２６に取り付けられた状態下において、遊技釘６２におけるローレット加工部５８よりも頭部５２側の部分が、下穴６０における拡径部６６内に位置せしめられるようになっている。また、遊技釘６２におけるローレット加工部５８よりも頭部５２側の部分が下穴６０における拡径部６６内に位置せしめられた状態で、拡径部６６の内周面の小径端と、遊技釘６２におけるローレット加工部５８よりも頭部５２側の部分の外周面との間には、殆ど隙間が形成されておらず、実質的に接触した状態となっている。即ち、本実施形態では、湾曲面６８がローレット加工部５８の端（ローレット加工が施されている部分とそうでない部分との境界）から開口側（本実施形態では、遊技板２６の表面側又は遊技釘６２の頭部５２側）に行くに従って次第に拡径するように形成されているのである。特に、本実施形態では、軸方向における拡径率が次第に大きくなるようにされており、湾曲面６８が、下穴６０の内部に向かって湾曲した円弧凸形の縦断面形状とされている。即ち、本実施形態では、湾曲面６８（拡径部６６の内周面）が、遊技釘６２側に凸となる湾曲面とされているのである。
【００５０】
上述の説明から明らかなように、本実施形態では、下穴６０における拡径部６６によって凹部が構成されている。また、本実施形態では、遊技板２６に差し込まれた状態で、遊技釘６２において下穴６０の拡径部６６内に位置せしめられている部分とそれよりも先端の部分によって挿入部分が構成されている。そして、本実施形態では、ローレット加工部５８が挿入部分における軸方向他方の側（遊技板２６の裏面側）に形成されている。また、本実施形態では、遊技釘６２の挿入部分において下穴６０の拡径部６６内に位置せしめられている部分６１によってストレート部が構成されている。即ち、本実施形態では、ローレット加工部５８に対して遊技板２６の表面２７側にストレート部６１が設けられているのであり、かかるストレート部６１は遊技板２６の表面２７側に向って連続して延びるように形成されている。
【００５１】
従って、このような構造とされたパチンコ機においても、遊技釘６２が遊技板２６に取り付けられた状態で、遊技釘６２の挿入部分においてローレット加工部５８が設けられたほうと反対側の部分（ストレート部６１）が下穴６０の拡径部６６内に位置せしめられていることから、第一の実施形態と同様な効果を得ることが可能となる。
【００５２】
そこにおいて、本実施形態では、拡径部６６の内周面が湾曲面６８とされていると共に、拡径部６６の内周面の小径端と、遊技釘６２においてローレット加工が施された部分よりも頭部５２側の部分の外周面とが、実質的に接触しており、更に、ローレット加工部５８における頭部５２側の端が、ストレート部６４内で遊技板２６の表面側（拡径部６６側）の端に位置せしめられていることから、遊技釘６２に外力が及ぼされた際において、遊技釘６２においてローレット加工が施されている部分よりも頭部５２側の部分を湾曲面６８に沿って変形させることが可能となる。これにより、遊技釘６２に外力が及ぼされた際に、遊技釘６２においてローレット加工が施されている部分とそうでない部分との境界に生ぜしめられる応力（つまり応力集中）を低減することが可能となる。その結果、樹脂製の遊技板２６に取り付けられた遊技釘６２を一層折れ難くすることが可能となる。
【００５３】
以上、本発明の幾つかの実施形態について詳述してきたが、これらはあくまでも例示であって、本発明は、かかる実施形態における具体的な記載によって、何等、限定的に解釈されるものではない。
【００５４】
例えば、前記第一の実施形態では、大径部５０と小径部４８は同一中心軸上に形成されていたが、大径部５０と小径部４８は、必ずしも同一中心軸上に形成されている必要はなく、大径部５０と小径部４８の何れか一方が他方に対して偏心位置せしめられていても良い。これにより、例えば、遊技球が当たる側において大径部５０の内周面と遊技釘４２との隙間を広く設定して、遊技球が当たった際において、遊技釘４２を一層折れ難くすることが可能となる。
【００５５】
また、前記第一の実施形態において、小径部４８と大径部５０は、必ずしも同じ方向に延びている必要はなく、例えば、小径部４８を所定の方向に所定角度傾斜して延びるようにする一方、大径部５０を遊技板２６の板厚方向に延びるようにしても良い。その際、小径部４８は、炭酸ガスレーザ等のレーザで形成することが望ましく、それによって、所定方向に所定角度傾斜した状態で延びる小径部４８を有利に形成することが可能となる。
【００５６】
また、前記第一の実施形態において、大径部５０は遊技板２６の裏面側に開口位置せしめられていたが、例えば、図７に示されているように、遊技板２６の表面側に開口位置せしめられていても良い。そこにおいて、このような下穴７０は、第一の実施形態の下穴４４と同様な方法によって形成される。また、下穴７０において、小径部４８と大径部５０は必ずしも同一中心軸上に位置せしめられている必要はなく、何れか一方が他方に対して偏心位置せしめられていても良い。このような構成を採用した場合、例えば、遊技球が当たる側と反対側において、大径部５０の内周面と遊技釘４２との隙間を広く設定しておくことにより、遊技球が当たった際に、遊技釘４２の大きな傾動を許容することができ、したがって遊技釘４２を一層折れ難くすることが可能となる。更にまた、前記第二の実施形態において、拡径部６６は湾曲面６８を有していたが、図８に示されているように、拡径部６６はテーパ面７４を有していても良い。そこにおいて、このような下穴７２は、適当な形状のドリルを用いることによって一回の穴あけ作業で有利に形成される。勿論、２回の穴あけ作業によって形成しても良い。また、大径部５０は、遊技板２６の表面２７側と裏面２５側の何れか一方の側にのみ設けられている必要はなく、例えば、図９に示されているように、大径部５０を遊技板２６の表面２７側と裏面２５側の両方に設けるようにしても良い。この場合、両方の大径部５０内にストレート部５９，６１が位置せしめられるようになっている。なお、理解を容易にするために、図７乃至９において、第一及び第二の実施形態と同様な構造とされた部材及び部位については、図中に、第一及び第二の実施形態と同一の符号を付してある。
【００５７】
さらに、前記第一及び第二の実施形態では、全体が樹脂材料によって形成されている遊技板２６を備えるパチンコ機１０に対して本発明を適用したものの一具体例が示されていたが、本発明は、例えば、一部が樹脂材料によって形成されている遊技板を備えるパチンコ機に対しても、勿論、適用可能である。また、遊技板２６は、有色透明や無色透明の他、不透明であっても良い。
【００５８】
また、前記第一及び第二の実施形態では、液晶表示器４０が遊技板２６の裏側に設けられていたが、液晶表示器４０が遊技板２６の裏側に設けられている必要はない。
【００５９】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００６０】
【図１】本発明の第一の実施形態としてのパチンコ機を示す正面図である。
【図２】図１に示されたパチンコ機に採用されている遊技盤を示す正面図である。
【図３】図２に示された遊技盤を構成する遊技板に下穴があけられた状態を示す断面図である。
【図４】図２に示された遊技盤を構成する遊技板に打ち込まれる遊技釘を示す図面である。
【図５】図２に示された遊技盤を構成する遊技板に遊技釘が打ち込まれた状態を示す断面図である。
【図６】本発明の第二の実施形態としてのパチンコ機に採用されている遊技盤を構成する遊技板に遊技釘が打ち込まれている状態を示す断面図である。
【図７】本発明において採用可能な凹部の他の態様を説明するための断面図である。
【図８】本発明において採用可能な凹部の更に別の態様を説明するための断面図である。
【図９】本発明において採用可能な凹部の別の態様を説明するための断面図である。
【符号の説明】
【００６１】
１０  パチンコ機
１６  遊技盤
２６  遊技板
４２  遊技釘
４４  下穴
５０  大径部
５８  ローレット加工部
【図１】
2007105306.tif 000003
【図２】
2007105306.tif 000004
【図３】
2007105306.tif 000005
【図４】
2007105306.tif 000006
【図５】
2007105306.tif 000007
【図６】
2007105306.tif 000008
【図７】
2007105306.tif 000009
【図８】
2007105306.tif 000010
【図９】
2007105306.tif 000011